(57)【要約】【課題】  ＡＣ特性の向上を実現することが可能なシリーズレギュレータ回路を提供する。【解決手段】  第１の動作電流を生成する電流源回路１０、第１の動作電流を与えられて動作し基準電圧とフィードバック用電圧とを与えられて比較しこの比較結果に対応した比較結果電圧を出力するアンプ回路２０、比較結果電圧を与えられこの比較結果電圧に対応した出力電流を出力する出力部と、出力電流に対応したフィードバック用電圧を発生してアンプ回路２０に与えるフィードバック用電圧発生部とを有する出力回路３０、出力部が出力した出力電流の一部を取り出す出力取り出し部と、この出力電流の一部に対応した第２の動作電流をアンプ回路２０に対して加算して与える加算部とを有する加算回路４０とを備える。【選択図】  図１
2006039861.tif 000002
【特許請求の範囲】
【請求項１】
第１の動作電流を生成する電流源回路と、
前記第１の動作電流を与えられて動作し、基準電圧とフィードバック用電圧とを与えられて比較し、この比較結果に対応した比較結果電圧を出力するアンプ回路と、
前記比較結果電圧を与えられ、この比較結果電圧に対応した出力電流を出力する出力部と、前記出力電流に対応した前記フィードバック用電圧を発生して前記アンプ回路に与えるフィードバック用電圧発生部とを有する出力回路と、
前記出力部が出力した前記出力電流の一部を取り出す出力取り出し部と、この出力電流の一部に対応した第２の動作電流を、前記アンプ回路に対して加算して与える加算部とを有する加算回路と、
を備えることを特徴とするシリーズレギュレータ回路。
【請求項２】
前記出力部は、ソースが第１の電源端子に接続され、ドレインが前記出力電流を出力する第１の出力端子に接続され、ゲートが前記比較結果電圧を出力する第２の出力端子に接続された第１のＰチャネル型ＭＯＳトランジスタを有し、
前記出力取り出し部は、ソースが前記第１の電源端子に接続され、ドレインが前記加算部の入力側に接続され、ゲートが前記第２の出力端子に接続された第２のＰチャネル型ＭＯＳトランジスタを有することを特徴とする請求項１記載のシリーズレギュレータ回路。
【請求項３】
第１の動作電流を生成する電流源と、前記第１の動作電流に対応した動作電流対応電圧を出力する動作電流対応電圧出力部とを有する電流源回路と、
前記第１の動作電流を与えられて動作し、基準電圧とフィードバック用電圧とを与えられて比較し、この比較結果に対応した比較結果電圧を出力するアンプ回路と、
前記比較結果電圧を与えられ、この比較結果電圧に対応した出力電流を出力する出力部と、前記出力電流に対応した前記フィードバック用電圧を発生して前記アンプ回路に与えるフィードバック用電圧発生部とを有する出力回路と、
前記出力部が出力した前記出力電流の一部を取り出す出力取り出し部と、この出力電流の一部に対応した第２の動作電流を、前記アンプ回路に対して加算して与える加算部と、前記動作電流対応電圧出力部が出力した前記動作電流対応電圧に基づいて、前記第２の動作電流が所定値を超えないように制限するリミッタ部とを有する加算回路と、
を備えることを特徴とするシリーズレギュレータ回路。
【請求項４】
前記電流源回路は、第１の電源端子に入力側が接続された前記電流源と、
ドレイン及びゲートが前記第１の動作電流を出力する第１の出力端子に接続され、ソースが第２の電源端子に接続された第１のＮチャネル型ＭＯＳトランジスタと、
前記動作電流対応電圧出力部に含まれ、前記電流源の出力側にドレイン及びゲートが接続され、ソースが前記第１のＮチャネル型ＭＯＳトランジスタのドレイン及びゲートに接続された第２のＮチャネル型ＭＯＳトランジスタとを有し、
前記出力部は、ソースが前記第１の電源端子に接続され、ドレインが前記出力電流を出力する第２の出力端子に接続され、ゲートが前記比較結果電圧を出力する第３の出力端子に接続された第１のＰチャネル型ＭＯＳトランジスタを有し、
前記出力取り出し部は、ソースが前記第１の電源端子に接続され、ゲートが前記第３の出力端子に接続された第２のＰチャネル型ＭＯＳトランジスタを有し、
前記リミッタ部は、ゲートが前記第２のＮチャネル型ＭＯＳトランジスタのゲートに接続され、ドレインが前記第２のＰチャネル型ＭＯＳトランジスタのドレインに接続され、ソースが前記加算部の入力側に接続された第３のＮチャネル型ＭＯＳトランジスタを有することを特徴とする請求項３記載のシリーズレギュレータ回路。
【請求項５】
第１の動作電流を生成する電流源回路と、
前記第１の動作電流に対応した動作電流対応電圧を出力する動作電流対応電圧出力回路と、
前記第１の動作電流を与えられて動作し、基準電圧とフィードバック用電圧とを与えられて比較し、この比較結果に対応した比較結果電圧を出力するアンプ回路と、
前記比較結果電圧を与えられ、この比較結果電圧に対応した出力電流を出力する出力部と、前記出力電流に対応した前記フィードバック用電圧を発生して前記アンプ回路に与えるフィードバック用電圧発生部とを有する出力回路と、
前記出力部が出力した前記出力電流の一部を取り出す出力取り出し部と、この出力電流の一部に対応した第２の動作電流を、前記アンプ回路に対して加算して与える加算部と、前記動作電流対応電圧出力回路が出力した前記動作電流対応電圧に基づいて、前記第２の動作電流が所定値を超えないように制限するリミッタ部とを有する加算回路と、
を備えることを特徴とするシリーズレギュレータ回路。
【発明の詳細な説明】
【技術分野】
【０００１】
本発明は、シリーズレギュレータ回路に関する。
【背景技術】
【０００２】
近年、携帯用電子機器等の電源装置において、シリーズレギュレータ回路に対する低消費電力化の要求が高まっている。
【０００３】
シリーズレギュレータ回路の消費電力を低減するために、シリーズレギュレータ回路内のアンプへ供給する動作電流を削減すると、アンプのｇｍが低下するためにシリーズレギュレータ回路のＡＣ特性が劣化する。
【０００４】
ここでＡＣ特性とは、入力電圧変動応答、負荷の過渡変動応答、レギュレータの立ち上がり時間等を意味する。
【０００５】
シリーズレギュレータ回路のＡＣ特性が劣化すると、そのシリーズレギュレータ回路を電源として使用したシステム全体の特性に悪影響を与えるという問題が発生する。
【０００６】
以下に、従来のシリーズレギュレータ回路を開示する文献名を記載する。
【特許文献１】特開２００２−３４３８７４号公報
【発明の開示】
【発明が解決しようとする課題】
【０００７】
本発明は、上記事情に鑑みてなされたものであり、ＡＣ特性の向上を実現することが可能なシリーズレギュレータ回路を提供することを目的とする。
【課題を解決するための手段】
【０００８】
本発明の一態様によるシリーズレギュレータ回路は、
第１の動作電流を生成する電流源回路と、
前記第１の動作電流を与えられて動作し、基準電圧とフィードバック用電圧とを与えられて比較し、この比較結果に対応した比較結果電圧を出力するアンプ回路と、
前記比較結果電圧を与えられ、この比較結果電圧に対応した出力電流を出力する出力部と、前記出力電流に対応した前記フィードバック用電圧を発生して前記アンプ回路に与えるフィードバック用電圧発生部とを有する出力回路と、
前記出力部が出力した前記出力電流の一部を取り出す出力取り出し部と、この出力電流の一部に対応した第２の動作電流を、前記アンプ回路に対して加算して与える加算部とを有する加算回路と、
を備えることを特徴とする。
【０００９】
また、本発明の一態様によるシリーズレギュレータ回路は、
第１の動作電流を生成する電流源と、前記第１の動作電流に対応した動作電流対応電圧を出力する動作電流対応電圧出力部とを有する電流源回路と、
前記第１の動作電流を与えられて動作し、基準電圧とフィードバック用電圧とを与えられて比較し、この比較結果に対応した比較結果電圧を出力するアンプ回路と、
前記比較結果電圧を与えられ、この比較結果電圧に対応した出力電流を出力する出力部と、前記出力電流に対応した前記フィードバック用電圧を発生して前記アンプ回路に与えるフィードバック用電圧発生部とを有する出力回路と、
前記出力部が出力した前記出力電流の一部を取り出す出力取り出し部と、この出力電流の一部に対応した第２の動作電流を、前記アンプ回路に対して加算して与える加算部と、前記動作電流対応電圧出力部が出力した前記動作電流対応電圧に基づいて、前記第２の動作電流が所定値を超えないように制限するリミッタ部とを有する加算回路と、
を備えることを特徴とする。
【００１０】
さらに、本発明の一態様によるシリーズレギュレータ回路は、
第１の動作電流を生成する電流源回路と、
前記第１の動作電流に対応した動作電流対応電圧を出力する動作電流対応電圧出力回路と、
前記第１の動作電流を与えられて動作し、基準電圧とフィードバック用電圧とを与えられて比較し、この比較結果に対応した比較結果電圧を出力するアンプ回路と、
前記比較結果電圧を与えられ、この比較結果電圧に対応した出力電流を出力する出力部と、前記出力電流に対応した前記フィードバック用電圧を発生して前記アンプ回路に与えるフィードバック用電圧発生部とを有する出力回路と、
前記出力部が出力した前記出力電流の一部を取り出す出力取り出し部と、この出力電流の一部に対応した第２の動作電流を、前記アンプ回路に対して加算して与える加算部と、前記動作電流対応電圧出力回路が出力した前記動作電流対応電圧に基づいて、前記第２の動作電流が所定値を超えないように制限するリミッタ部とを有する加算回路と、
を備えることを特徴とする。
【発明の効果】
【００１１】
本発明のシリーズレギュレータ回路によれば、ＡＣ特性を改善することが可能である。
【発明を実施するための最良の形態】
【００１２】
以下、本発明の実施の形態について図面を参照して説明する。
【００１３】
（１）実施の形態１
本発明の実施の形態１によるシリーズレギュレータ回路について、その回路構成を示した図１を用いて説明する。
【００１４】
このシリーズレギュレータ回路は、電流源回路１０、アンプ回路２０、基準電圧源Ｖref、出力回路３０、加算回路４０を備えている。
【００１５】
電流源回路１０は、定電流源ＣＳ及びＮチャネル型ＭＯＳトランジスタＭＮ０１が直列に接続された構成を備えている。
【００１６】
アンプ回路２０は、２つのＰチャネル型ＭＯＳトランジスタＭＰ０１及びＭＰ０２、２つのＮチャネル型ＭＯＳトランジスタＭＮ０３及びＭＮ０４を含む差動増幅器と、差動増幅器を駆動するＮチャネル型ＭＯＳトランジスタＭＮ０２とを有する。ここで、トランジスタＭＮ０２は電流源回路１０のトランジスタＭＮ０１とカレントミラー回路を構成する
。
【００１７】
出力回路３０は、負荷駆動用出力トランジスタに相当するＰチャネル型ＭＯＳトランジスタＭＰ０３と、抵抗分圧用の抵抗Ｒ０１及びＲ０２、位相補償用の容量Ｃ０１及びＣ０２を有する。
【００１８】
加算回路４０は、出力トランジスタＭＰ０３に流れる電流の一部を取り込むＰチャネル型ＭＯＳトランジスタＭＰ０４と、Ｎチャネル型ＭＯＳトランジスタＭＮ０５及びＭＮ０６を有する。ここで、トランジスタＭＰ０４は、出力回路３０のトランジスタＭＰ０３とカレントミラー回路を構成する。また、トランジスタＭＮ０５とトランジスタＭＮ０６とでカレントミラー回路を構成する。
【００１９】
このような構成を備えた本実施の形態１の動作について説明する。
【００２０】
電流源回路１０のトランジスタＭＮ０１とアンプ回路２０のトランジスタＭＮ０２とでカレントミラー回路が構成されているため、これらのトランジスタのサイズＷ／Ｌの比により決定される一定電流がトランジスタＭＮ０２に流れて、これがアンプ回路２０に供給される動作電流となる。
【００２１】
出力回路３０における出力トランジスタＭＰ０３のドレインにおける出力電圧を、フィードバック用電圧発生部を構成する抵抗Ｒ０１と抵抗Ｒ０２とで抵抗分割したノードＮ１４のフィードバック用電圧が、トランジスタＭＮ０４のゲートに入力される。一方、トランジスタＭＮ０３のゲートに基準電圧Ｖrefが入力される。これにより、ノードＮ１４の電位と基準電圧Ｖrefとが比較された比較結果電圧が、トランジスタＭＮ０３のドレインが接続されたノードＮ１１から出力される。
【００２２】
出力回路３０において、ノードＮ１１から出力された電圧が、出力トランジスタＭＰ０３のゲートに入力されると共に、加算回路４０における出力取り出し部を構成するトランジスタＭＰ０４のゲートにも入力される。
【００２３】
ここで、トランジスタＭＰ０３とＭＰ０４とは上述したようにカレントミラー回路を構成しており、ここではトランジスタＭＰ０４に供給される電流が無視できる程小さいように相対的なサイズが設定されている。例えば、トランジスタＭＰ０３：トランジスタＭＰ０４＝１００：１程度に設定してもよい。
【００２４】
これにより、トランジスタＭＰ０３に流れて図示されていない負荷に供給される出力電流の１％程度の電流が、トランジスタＭＰ０４にミラーされることになる。
【００２５】
加算回路４０において、トランジスタＭＰ０４のドレインに接続されたノードＮ１５に流れる電流がトランジスタＭＮ０６に流れ、この電流がトランジスタＭＮ０６とカレントミラー回路を構成するトランジスタＭＮ０５にミラーされる。このトランジスタＭＮ０６とＭＮ０５とで、加算部を構成する。すなわち、ノードＮ１５に流れる電流に対し、トランジスタＭＮ０６とＭＮ０５とのサイズの比に対応した電流が、トランジスタＭＮ０５のドレインに接続されたノードＮ１３に流れる。
【００２６】
これにより、アンプ回路２０においてトランジスタＭＰ０１及びＭＰ０２、ＭＮ０３及びＭＮ０４から成る差動増幅器に供給される動作電流が、ノードＮ１２にドレインが接続されたトランジスタＭＮ０２に流れる一定電流のみならず、ノードＮ１３にドレインが接続されたトランジスタＭＮ０５に流れる電流が加算されることになる。トランジスタＭＮ０２のサイズを大きくしなくとも、アンプ回路２０に流れる動作電流を増加させ、シリーズレギュレータ回路の性能を高めることができる。
【００２７】
このように本実施の形態１では、アンプ回路２０の出力に相当するノードＮ１１を、出力トランジスタＭＰ０３のゲートと、このトランジスタＭＰ０３とカレントミラー回路を構成するトランジスタＭＰ０４のゲートに接続することで、出力トランジスタＭＰ０３から負荷に流す出力電流の一部をミラーする。そして、トランジスタＭＰ０４と直列に接続されたトランジスタＭＮ０６にこの出力電流の一部に対応した電流を流すことで、トランジスタＭＮ０６とカレントミラー回路を構成するトランジスタＭＮ０６にこの電流をミラーする。
【００２８】
これにより、アンプ回路２０のノードＮ１３からトランジスタＮＭ０６によって電流を引くことにより、負荷に流す出力電流の大きさに対応した電流をアンプ回路２０の動作電流に加算する。
【００２９】
この結果、負荷に流す出力電流が小さいときは、トランジスタＭＰ０４にミラーされる電流も小さくなるので、全体の消費電流は抑制される。
【００３０】
一方、負荷に流す出力電流が大きいときは、この出力電流における無視できる程度に十分に小さい電流をトランジスタＭＰ０４にミラーし、この電流に対応した電流をアンプ回路２０の動作電流として加算することで、有負荷時における消費電流にもほとんど影響を与えず抑制することができる。
【００３１】
そして、アンプ回路２０に加算する動作電流は、負荷の大きさに応じて増加させることができるので、シリーズレギュレータ回路のＡＣ特性を改善することが可能であり、ＡＣ的な電源変動がシステムに悪影響をもたらすことを防止することができる。
【００３２】
（２）実施の形態２
本発明の実施の形態２によるシリーズレギュレータ回路について、図２を用いて説明する。
【００３３】
上記実施の形態１では、出力トランジスタＭＰ０３から負荷に与える出力電流が大きくなると、それに伴ってトランジスタＭＰ０４からノードＮ１５に流れる電流が増加し、この電流をミラーするトランジスタＭＮ０５からノードＮ１３に流れる電流が増加する。このため、負荷に供給する電流があるレベル以上になると、アンプ回路２０に含まれるトランジスタＭＰ０１及びＭＰ０２、ＭＮ０３及びＭＮ０４に流れる動作電流が大きくなりすぎてリニア領域で動作することとなり、アンプ回路２０が正常に動作しなくなるおそれがある。
【００３４】
そこで本実施の形態２では、アンプ回路２０に供給する電流に所定の制限値を設け、この値以上の電流がアンプ回路２０に供給されないように構成している。
【００３５】
本実施の形態２は、電流源回路１１と加算回路４１の構成が上記実施の形態１と異なっており、他の共通する構成については説明を省略する。
【００３６】
電流源回路１１は、アンプ回路２０に動作電流を供給する電流源として動作する定電流源ＣＳ及びトランジスタＭＮ０１と、この動作電流に対応した電圧を出力する動作電流対応電圧出力部として動作するトランジスタＭＮ０７とを有する。
【００３７】
加算回路４１は、上記実施の形態１で説明した加算回路４０として動作するトランジスタＭＰ０４、ＭＮ０５及びＭＮ０６と、リミッタ部として動作するトランジスタＭＮ０８とを有する。
【００３８】
ここで、トランジスタＭＮ０７とＭＮ０８とはカレントミラー回路を構成する。
【００３９】
上記実施の形態１と同様に、トランジスタＭＰ０３に流れて負荷に供給される出力電流の例えば１％程度の電流が、トランジスタＭＰ０４にミラーされる。
【００４０】
加算回路４１において、トランジスタＭＰ０４のドレインに接続されたノードＮ１５に流れる電流が、直列に接続されたトランジスタＭＮ０８及びＭＮ０６０６に流れ、この電流がトランジスタＭＮ０６とカレントミラー回路を構成するトランジスタＭＮ０５にミラーされ、ノードＮ１３に流れる。
【００４１】
これによりアンプ回路２０において、差動増幅器に供給される動作電流として、トランジスタＭＮ０２に流れる一定電流に、トランジスタＭＮ０５に流れる電流が加算される。
【００４２】
しかし、加算回路４１のトランジスタＭＮ０８には、電流源回路１１におけるトランジスタＭＮ０７に流れる電流がミラーされた電流、すなわち電流源回路１１がアンプ回路２０に供給する動作電流に対応した電流しか流れることがない。よって、所定の電流以上の電流がトランジスタＭＮ０８及びＭＮ０６に流れないように制限される。
【００４３】
この結果、トランジスタＭＮ０６に流れる制限された電流がトランジスタＭＮ０５にミラーされるので、アンプ回路２０のノードＮ１３に加算される動作電流は制限された電流しか流れないことになる。
【００４４】
例えば、トランジスタＭＮ０７とトランジスタＭＮ０８のサイズの比を、ＭＮ０７：ＭＮ０８＝１：１０００というように設定する。これにより、電流源回路１１においてトランジスタＭＮ０７に流れる電流が例えば１μＡとすると、加算回路４１におけるトランジスタＭＮ０８及びＭＮ０６に流れる電流は１ｍＡとなり、この電流がトランジスタＭＮ０６とＭＮ０５のサイズの比で決定される値でトランジスタＭＮ０５にミラーされて、アンプ回路２０に動作電流が加算されることになる。
【００４５】
すなわち、本実施の形態２によれば、出力トランジスタＭＰ０３に流れて負荷に供給される出力電流が小さいときは、トランジスタＭＮ０８はリミッタとして作用せず、上記実施の形態１と同様に動作する。
【００４６】
負荷に供給される出力電流が過大になる場合には、トランジスタＭＮ０８とＭＮ０７のサイズ比、並びにトランジスタＭＮ０６とトランジスタＭＮ０５のサイズ比で決定される電流以上の動作電流がアンプ回路２０に加算される事態が回避されるので、アンプ回路２０の動作電流が過大になり誤動作することが防止される。
【００４７】
また、上記実施の形態１と同様に、出力トランジスタＭＰ０３から負荷に与えられる出力電流が小さいときは、その出力電流の一部を取り出すトランジスタＭＰ０４にミラーされる電流も小さいので、無負荷時における消費電流が増加することが防止される。
【００４８】
さらに、有負荷時には、負荷に流れる出力電流に対して無視できる程度に十分に小さい電流がトランジスタＭＰ０４にミラーされるようにトランジスタＭＰ０３とＭＰ０４のサイズが決定されていることにより、有負荷時における消費電流にもほとんど影響を与えない。
【００４９】
有負荷時においてアンプ回路２０に流す動作電流は、所定値以下の範囲内で負荷の大きさに応じて増加させることができるので、シリーズレギュレータ回路としてのＡＣ特性が改善され、ＡＣ的な電源変動がシステムへ悪影響を及ぼすことを防止することができる。
【００５０】
（３）実施の形態３
本発明の実施の形態３によるシリーズレギュレータ回路について、その回路構成を示した図３を用いて説明する。
【００５１】
上記実施の形態２では、アンプ回路２０に供給する電流源としての機能と、動作電流対応電圧出力部としての機能とを、１つの電流源回路１１により実現している。
【００５２】
これに対し本実施の形態３では、アンプ回路２０の電流源としての機能を電流源回路１０に、動作電流対応電圧出力部としての機能を動作電流対応電圧出力回路１２にそれぞれ持たせることで、両者を独立させて構成している。
【００５３】
電流源回路１０は、図１に示された上記実施の形態１における電流源回路１０と同様の構成を備え、定電流源ＣＳ１とＮチャネル型ＭＯＳトランジスタＭＮ０１ａとを有する。
【００５４】
動作電流対応電圧出力回路１２は、図２に示された上記実施の形態２における電流源回路１１と同様に、定電流源ＣＳ２とＮチャネル型ＭＯＳトランジスタＭＮ０７及びＭＮ０１ｂとを有する。
【００５５】
上記実施の形態２では、上述したように１つの電流源回路１１に、アンプ回路２０に供給する電流源としての機能と、リミッタ回路として機能とを持たせる必要がある。このため、アンプ回路２０に供給すべき電流値が制約となり、トランジスタＭＮ０１及びＭＮ０７のサイズ比に制約が存在する。このため、トランジスタＭＮ０７とカレントミラー回路を構成するトランジスタＭＮ０８のサイズの設定にも制約が生じて、トランジスタＭＮ０８のサイズを大きく設定せざるを得なくなり、素子面積の増大を招く虞がある。
【００５６】
これに対し、本実施の形態３によれば、アンプ回路２０用の電流源としての機能と、動作電流対応電圧出力部としての機能をそれぞれ独立した回路に持たせることにより、動作電流対応電圧出力回路１２に含まれる定電流源ＣＳ２とトランジスタＭＮ０７のサイズとの組み合わせにより自由に設定することができる。その結果、加算回路４１におけるトランジスタＭＮ０８のサイズを小さく抑えることができるので、素子面積の増大を防止することが可能である。
【００５７】
ここで、実施の形態１〜３を比較すると、実施の形態１及び２は定電流源の数が１つであるため、より消費電流の低減を実現することができる。
【００５８】
ただし、本実施の形態３においても、上記実施の形態１又は２と同様に、負荷が小さいときにおける消費電流が増加することなく、負荷が大きいときに負荷に流す出力電流における一部を取り出して、負荷の大きさに対応した電流をアンプ回路の動作電流として加算することにより、全体の消費電流への影響を抑制しつつ、ＡＣ特性を改善することが可能であり、ＡＣ的な電源変動がシステムに悪影響をもたらすことを防止することができる。
【００５９】
上述した実施の形態はいずれも一例であって、本発明を限定するものではなく、必要に応じて様々に変形することが可能である。例えば、図１〜図３に示された各トランジスタの極性は反転させることが可能である。また、トランジスタＭＮ０１及びＭＮ０２、ＭＰ０３及びＭＰ０４、ＭＮ０５及びＭＮ０６、ＭＮ０７及びＭＮ０８がそれぞれ構成するカレントミラー回路におけるサイズの比は、所望の値に自由に設定することができる。
【図面の簡単な説明】
【００６０】
【図１】本発明の実施の形態１によるシリーズレギュレータ回路の構成を示す回路図。
【図２】本発明の実施の形態２によるシリーズレギュレータ回路の構成を示す回路図。
【図３】本発明の実施の形態３によるシリーズレギュレータ回路の構成を示す回路図。
【符号の説明】
【００６１】
１０、１１  電流源回路
１２  動作電流対応電圧出力回路
２０  アンプ回路
３０  出力回路
４０、４１  加算回路
ＣＳ、ＣＳ１、ＣＳ２  定電流源
ＭＰ０１〜ＭＰ０４  Ｐチャネル型ＭＯＳトランジスタ
ＭＮ０１〜ＭＮ０８  Ｎチャネル型ＭＯＳトランジスタ
Ｒ０１、Ｒ０２  抵抗
【図１】
2006039861.tif 000003
【図２】
2006039861.tif 000004
【図３】
2006039861.tif 000005